(57)【要約】      （修正有）【課題】脚用ユニット及び足用ユニットを安定してスライド可能とすることのできる椅子型マッサージ機を提供する。【解決手段】被施療者の腰掛ける座部12の前端側に揺動可能に配備された揺動フレーム60に、足用マッサージユニット20を配備した椅子型マッサージ機であって、足用マッサージユニット20は、被施療者のふくらはぎをマッサージする脚用ユニット30と、被施療者の足先をマッサージする足用ユニット40を有しており、揺動フレーム60には、脚用ユニット30をスライド可能に配備した第１スライドレールと、足用ユニット40をスライド可能に配備した第２スライドレールと、を有する。【選択図】図１
2010075632.tif 000002
【特許請求の範囲】
【請求項１】
被施療者の腰掛ける座部の前端側に揺動可能に配備された揺動フレームに、足用マッサージユニットを配備した椅子型マッサージ機であって、
足用マッサージユニットは、被施療者のふくらはぎをマッサージする脚用ユニットと、被施療者の足先をマッサージする足用ユニットを有しており、
揺動フレームには、脚用ユニットをスライド可能に配備した第１スライドレールと、足用ユニットをスライド可能に配備した第２スライドレールと、
を有することを特徴とする椅子型マッサージ機。
【請求項２】
脚用ユニットは、第１スライドレールに対して、複数箇所にて位置決め可能なロック機構を有している請求項１に記載の椅子型マッサージ機。
【請求項３】
足用ユニットは、第２スライドレールに対して、複数箇所にて位置決め可能なロック機構を有している請求項１又は請求項２に記載の椅子型マッサージ機。
【請求項４】
揺動フレームと脚用ユニット間に、脚用ユニットを座部側へ常時引き寄せる方向に付勢する付勢手段を設けてなる請求項１乃至請求項３の何れかに記載の椅子型マッサージ機。
【請求項５】
脚用ユニットと足用ユニット間に、足用ユニットを常時脚用ユニット方向に引き寄せる方向に付勢する付勢手段を設けてなる請求項１乃至請求項４の何れかに記載の椅子型マッサージ機。
【発明の詳細な説明】
【技術分野】
【０００１】
本発明は、被施療者のふくらはぎ及び足先をマッサージすることのできる脚用ユニットと足用ユニットを具えた椅子型マッサージ機に関するものであり、より具体的には、脚用ユニットと足用ユニットをスライド可能に連繋し、被施療者の所望する患部位置でのマッサージを行なうことのできる椅子型マッサージ機に関するものである。
【背景技術】
【０００２】
被施療者の腰掛ける座部の前端に被施療者のふくらはぎをマッサージする脚用ユニットと、足先をマッサージする足用ユニットからなる足用マッサージユニットを配備した椅子型マッサージ機が知られている。
被施療者の体型、特に足の長さは異なるから、脚用ユニットと足用ユニットの位置を変えて、被施療者の足の長さに応じて位置決め可能とした椅子型マッサージ機が提案されている(例えば、特許文献１参照)。
【０００３】
特許文献１の椅子型マッサージ機では、座部前端側に揺動可能なレールを取り付け、該レールに脚用ユニットをスライド可能に配備している。さらに、このレールには、スライドレールをスライド可能に配備し、該スライドレールに足用ユニットを配備している。
然して、脚用ユニットをレールに対してスライドさせると共に、スライドレールをレールに対してスライドさせることで足用ユニットをスライドさせることができる。
【０００４】
【特許文献１】特開２００４−８２５７号公報
【発明の開示】
【発明が解決しようとする課題】
【０００５】
上記特許文献１の椅子型マッサージ機は、レールに脚用ユニット、スライドレールに足用ユニットが配備されており、スライドレールは、レールにスライド可能に嵌まっている。つまり、レールには、脚用ユニットの重量及び脚用ユニットに加わる力、足用ユニットの重量及び足用ユニットに加わる力の両方が作用する。特に、レールに対してスライドレールを最も伸長した状態では、足用ユニットからスライドレールを介してレールに作用する力は、作用点が遠くなることから、非常に大きなものとなり、レールとスライドレールとのがたつきが大きくなったり、足用ユニットのスライド動作が不安定となる虞れがあった。
【０００６】
本発明の目的は、脚用ユニット及び足用ユニットを安定してスライド可能とすることのできる椅子型マッサージ機を提供することである。
【課題を解決するための手段】
【０００７】
上記課題を解決するために本発明の椅子型マッサージ機は、
被施療者の腰掛ける座部の前端側に揺動可能に配備された揺動フレームに、足用マッサージユニットを配備した椅子型マッサージ機であって、
足用マッサージユニットは、被施療者のふくらはぎをマッサージする脚用ユニットと、被施療者の足先をマッサージする足用ユニットを有しており、
揺動フレームには、脚用ユニットをスライド可能に配備した第１スライドレールと、足用ユニットをスライド可能に配備した第２スライドレールと、
を有する。
【発明の効果】
【０００８】
本発明の椅子型マッサージ機によれば、揺動フレームに夫々第１スライドレールと第２スライドレールを夫々直接連繋し、第１スライドレールに脚用ユニットをスライド可能、第２スライドレールに足用ユニットをスライド可能に配備している。
つまり、第１スライドレールと第２スライドレールには、夫々脚用ユニットと足用ユニットが別個にスライド可能に支持されているから、脚用ユニットから作用する力は、第１スライドレールのみ、足用ユニットから作用する力は、第２スライドレールのみに伝わる。
従って、脚用ユニットと足用ユニットを伸長方向にスライドさせても、足用ユニットへ作用する力は、第１スライドレールには加わらないので、足用ユニットを安定してスライド可能とすることができる。
【発明を実施するための最良の形態】
【０００９】
以下、本発明の椅子型マッサージ機(10)について図面を用いて詳述する。
図１は、本発明の椅子型マッサージ機(10)の側面図である。図に示すように椅子型マッサージ機(10)は、床面に載置されるベース(11)に、被施療者の腰掛ける座部(12)、被施療者の凭れる背凭れ部(14)、肘を置く肘掛け(16)(16)を有している。座部(12)の前端側には、揺動フレーム(60)が揺動可能に配備される。図１及び図２に示すように、揺動フレーム(60)上端の左右一対のブラケット(18)(18)が、座部(12)の前端に枢支され、揺動可能となっている。揺動フレーム(60)には、被施療者のふくらはぎ及び足先をマッサージする足用マッサージユニット(20)が、スライド可能に嵌まっている。
足用マッサージユニット(20)は、図１の矢印Ａ方向に揺動可能となっている。
【００１０】
足用マッサージユニット(20)は、図１乃至図４に示すように、被施療者のふくらはぎをマッサージする脚用ユニット(30)と、被施療者の足先をマッサージする足用ユニット(40)とを有している。
【００１１】
脚用ユニット(30)は、図３及び図４に示すように、左右の側壁(31)(31)、中央壁(32)及び後面(33)(33)によって、被施療者のふくらはぎ(膝下からくるぶしの上)が挿入される上下及び前面の開口した凹み(34)(34)が形成されている。また、側壁(31)(31)の内側面、中央壁(32)及び／又は後面(33)には、エアバッグ、指圧子等のマッサージ手段(図示せず)が配備されている。
【００１２】
足用ユニット(40)は、図３及び図４に示すように、左右の側壁(41)(41)、中央壁(42)及び後面(43)(43)によって、被施療者の足先(くるぶしの下)が挿入される上側及び前面の開口した凹み(44)(44)が形成されており、凹み(44)(44)の下側は、被施療者の足裏が当接する底面(45)により閉じられている。側壁(41)(41)の内側面、中央壁(42)、後面(43)及び／又は底面(45)には、エアバッグ、指圧子等のマッサージ手段(図示せず)が配備されている。
【００１３】
脚用ユニット(30)及び足用ユニット(40)は、前述の揺動フレーム(60)にスライド機構(50)を介して接続される。スライド機構(50)は、実際には、クッション材や布製又は樹脂製のカバー(22)により外周を包囲されているため、図４の如く、外部から視認することはできない。
【００１４】
図５乃至図８は、スライド機構(50)を説明するため、足用マッサージユニット(20)の後面側のカバーを取り外した状態を示す図である。図５及び図７は、脚用ユニット(30)と足用ユニット(40)を離間させた状態を示しており、図６は、脚用ユニット(30)と足用ユニット(40)を座部(12)側に最も接近させた状態(図１の状態)を示している。また、図８は、図７の線Ｂ−Ｂに沿う矢視断面図、図９は、揺動フレームの背面図、図１０は、揺動フレームに脚用ユニットが取り付けられた状態の背面図、図１１は、揺動フレームに足用ユニットが取り付けられた状態の背面図である。
【００１５】
図に示すように、揺動フレーム(60)は、座部(12)側のブラケット(18)(18)に回動可能に嵌まる揺動軸(61)と、該揺動軸(61)の長さ方向中央寄りの位置にて、揺動軸(61)に直交する方向に固定された縦フレーム(62)(62)、揺動軸(61)の両端近傍位置にて、揺動軸(61)に直交する方向に固定された第１スライドレール(52)(52)、縦フレーム(62)(62)と第１スライドレール(52)(52)の間にて、揺動軸(61)に直交する方向に固定された第２スライドレール(54)(54)、及び、フレーム(62)、第１スライドレール(52)、第２スライドレール(54)の先端を連結する端フレーム(63)を具える。
縦フレーム(62)には、後述するロック機構(70)が取り付けられている。
【００１６】
第１スライドレール(52)は、図５乃至図８に示すように、後面側に向けて開口した断面コ字状のレールであって、図８に示すように、後述する脚用スライドフレーム(37)との接触抵抗を小さくするために、長さ方向に突条(52a)が形成されている。
【００１７】
第２スライドレール(54)は、図５乃至図８に示すように、内向き(図８では右側)に開口した断面コ字状のレールであって、図８に示すように、後述する足用スライドフレーム(47)との接触抵抗を小さくするために、長さ方向に突条(54a)が形成されている。
【００１８】
脚用ユニット(30)は、脚用ベースフレーム(36)に取り付けられており、脚用ベースフレーム(36)には、前記第１スライドレール(52)(52)にスライド可能に嵌まる脚用スライドフレーム(37)(37)が配備されている。脚用スライドフレーム(37)(37)は、内向きに開口した断面コ字状のフレームであって、第１スライドレール(52)(52)との接触抵抗を小さくするための突条(37a)が夫々形成されている。(53)は、第１スライドレール(52)に形成されたストッパーであり、脚用ユニット(30)が最も先へ移動したときに、脚用スライドフレーム(37)と当接し、これ以上、先に移動しないようにしている。
脚用ベースフレーム(36)の中央には、後述するロック機構(70)と噛合して脚用ユニット(30)を位置決めする位置決め溝(38a)(38a)が複数凹設された脚用ロック板(38)が配備されている。
【００１９】
また、脚用ベースフレーム(36)と揺動フレーム(60)の揺動軸(61)との間には、コイルバネ(39)等の付勢手段が配備されており、無負荷の状態では、脚用ユニット(30)が揺動軸(61)(座部(12)側)方向に引っ張られる方向に付勢されている。
【００２０】
足用ユニット(40)は、足用ベースフレーム(46)に取り付けられており、足用ベースフレーム(46)には、前記第２スライドレール(54)(54)にスライド可能に嵌まる中空の矩形状に形成された足用スライドフレーム(47)(47)が配備されている。足用スライドフレーム(47)(47)には、第２スライドレール(54)(54)との接触抵抗を小さくするための突条(47a)が夫々形成されている。
足用ベースフレーム(46)の中央には、後述するロック機構(70)と噛合して足用ユニット(40)を位置決めする位置決め溝(48a)(48a)が複数凹設された足用ロック板(48)が配備されている。足用ロック板(48)は、前述の脚用ロック板(38)と前後方向(図６及び図７において紙面に垂直な方向)に重なるように配備されている。実施例では、図５のように、脚用ロック板(38)の方が前方に位置している。
【００２１】
また、脚用ベースフレーム(36)と足用ベースフレーム(46)との間には、コイルバネ(49)等の付勢手段が配備されており、無負荷の状態では、足用ユニット(40)が脚用ユニット(30)方向に引っ張られる方向に付勢されている。
【００２２】
ロック機構(70)は、図６及び図７に示すように、前記揺動フレーム(60)の一方の縦フレーム(62)に配備される。ロック機構(70)は、縦フレーム(62)に取り付けられたロックベース板(71)と、該ロックベース板(71)に揺動可能に軸支(74)されたロック部材(72)を有している。
ロック部材(72)は、前記脚用ロック板(38)及び足用ロック板(48)の位置決め溝(38a)(48a)に噛合するよう先端が屈曲したロック片(73)を有している。
また、ロック部材(72)は、ロックベース板(71)との間で、位置決め溝(38a)(48a)方向に付勢されるように引っ張りバネ(75)が張設されている。
ロック部材(72)の操作は、インナーワイヤ(76a)とアウターワイヤ(76b)から構成されるワイヤ(76)によって行なうことができる。アウターワイヤ(76b)は、一端がロックベース板(71)に取り付けられており、他端が肘掛け(16)等に配備されたロック操作部(79)に接続されている。インナーワイヤ(76a)は、一端がロック部材(72)に連繋されており、他端がロック操作部(79)に接続されている。
ロック操作部(79)の操作により、インナーワイヤ(76a)を引っ張ると、引っ張りバネ(75)の付勢力に抗してロック部材(72)が軸支部(74)を中心として回動し、ロック片(73)が位置決め溝(38a)(48a)から離脱する。インナーワイヤ(76a)への引っ張り力を解除すると、引っ張りバネ(75)の付勢力により、ロック部材(72)が位置決め溝(38a)(48a)に噛合する。
ロック部材(72)が位置決め溝(38a)(48a)に噛合している状態では、脚用ユニット(30)及び足用ユニット(40)、即ち、脚用ベースフレーム(36)及び足用ベースフレーム(46)は、揺動フレーム(60)に対して固定されており、スライド移動はできない。一方、ロック部材(72)が位置決め溝(38a)(48a)から外れると、脚用ユニット(30)及び足用ユニット(40)、即ち、脚用ベースフレーム(36)及び足用ベースフレーム(46)は、揺動フレーム(60)に対してスライド可能となる。
【００２３】
上記構成の足用マッサージユニット(20)は、被施療者が座部(12)に腰掛けた状態で、図示省略する揺動手段によって、足用マッサージユニット(20)を先端が上方向に移動するよう揺動させ(図１の矢印Ａ方向に揺動)、ロック操作部(79)を操作して、ロック部材(72)を位置決め溝(38a)(48a)から外すと、脚用ユニット(30)及び足用ユニット(40)は、スライド可能となる。この状態で、例えば、被施療者が足裏で足用ユニット(40)の底面(45)を踏み込むと、コイルバネ(39)(49)の付勢力に抗して、図５及び図７に示すように、脚用ユニット(30)及び足用ユニット(40)がスライドする。具体的には、足用ユニット(40)は、第２スライドレール(54)に対して足用スライドフレーム(47)がスライドして、揺動軸(61)から離れる方向(伸長方向)に移動する。また、足用ユニット(40)を伸長方向に移動させると、脚用ユニット(30)は、コイルバネ(49)の引っ張り力によって、伸長方向に移動する。足用ユニット(40)の最長伸長の長さは、揺動フレーム(60)の端フレーム(63)に足用スライドフレーム(47)が当たって規制される。
【００２４】
被施療者が、脚用ユニット(30)と足用ユニット(40)を所望の位置までスライドさせた状態で、ロック操作部(79)を操作して、インナーワイヤ(76a)の引っ張りを解くと、引っ張りバネ(75)の付勢力によりロック部材(72)が回転し、ロック片(73)が位置決め溝(38a)(48a)に嵌まり、脚用ユニット(30)と足用ユニット(40)が位置決めされる。
この状態で、脚用ユニット(30)及び足用ユニット(40)に配備されたマッサージ手段を作動させることで、被施療者の足の長さに合った所望位置でマッサージを受けることができる。
【００２５】
マッサージ終了後、足用ユニット(40)の底面(45)への足裏の踏み込み力を解き、ロック操作部(79)を操作して、インナーワイヤ(76a)を引っ張ると、コイルバネ(39)(49)の付勢力によって、脚用ユニット(30)及び足用ユニット(40)は、揺動軸(61)側に引っ張られ、図１及び図６に示すように、最も短くなった状態に復帰する。
【００２６】
上記の如く、本発明によれば、被施療者は、所望位置まで脚用ユニット(30)と足用ユニット(40)を移動させて、効果の高いマッサージを受けることができる。脚用ユニット(30)及び足用ユニット(40)は、揺動フレーム(60)に連結された第１スライドレール(52)及び第２スライドレール(54)に夫々独立して支持されているから、脚用ユニット(30)も足用ユニット(40)もスライド時の安定性にすぐれ、また、伸長させた状態での安定性にもすぐれる。
【００２７】
なお、脚用ユニット(30)と足用ユニット(40)の付勢手段であるコイルバネ(39)(49)のバネ強さを適宜調節することにより、足用ユニット(40)を伸長方向にスライドさせたときに、脚用ユニット(30)の静止位置を調整することができる。即ち、足用ユニット(40)を足裏で押して伸長させ、その位置で足用ユニット(40)がコイルバネ(49)の付勢力により揺動軸(61)側に戻らないよう、足裏で踏ん張った状態にして、脚用ユニット(30)を足用ユニット(40)に関係なく、望みの位置に調整することができる。望ましくは、コイルバネ(39)(49)のバネ強さは、足用ユニット(40)のスライドさせたときに、脚用ユニット(30)は、足用ユニット(40)のスライド距離の略半分の距離だけスライドする程度に設定する。
【００２８】
上記実施例では、脚用ユニット(30)と足用ユニット(40)のロック板(38)(48)に共通のロック部材(72)を係合させて、各ユニット(30)(40)の位置決めをしているので、部品点数を削減できる。
【００２９】
また、上記では、脚用ユニット(30)と足用ユニット(40)の双方に脚用ロック板(38)と足用ロック板(48)を配備しているが、脚用ユニット(30)の脚用ロック板(38)を省略することもできる。この場合、足用ユニット(40)をスライドさせると、コイルバネ(39)(49)の引っ張り力によって、脚用ユニット(30)が付勢手段であるコイルバネ(39)(49)のバネ強さに応じた位置で静止し、マッサージを施すことができる。
【産業上の利用可能性】
【００３０】
本発明は、被施療者の所望位置に脚用ユニットと足用ユニットを移動させることができ、伸長させた状態でも安定性に優れる足用マッサージユニットを搭載した椅子型マッサージ機として有用である。
【図面の簡単な説明】
【００３１】
【図１】椅子型マッサージ機の側面図である。
【図２】足用マッサージユニットの側面図である。
【図３】足用マッサージユニットの正面図である。
【図４】足用マッサージユニットを伸長させた状態の正面図である。
【図５】足用マッサージユニットを下側後方から見た斜視図である。
【図６】足用マッサージユニットの背面図である。
【図７】足用マッサージユニットを伸長させた状態の背面図である。
【図８】図７の線Ｂ−Ｂに沿う矢視断面図である。
【図９】揺動フレームの背面図である。
【図１０】揺動フレームに脚用ユニットが取り付けられた状態の背面図である。
【図１１】揺動フレームに足用ユニットが取り付けられた状態の背面図である。
【符号の説明】
【００３２】
(10)  椅子型マッサージ機
(20)  足用マッサージユニット
(30)  脚用ユニット
(37)  脚用スライドフレーム
(40)  足用ユニット
(47)  足用スライドフレーム
(50)  スライド機構
(52)  第１スライドレール
(54)  第２スライドレール
(60)  揺動フレーム
(70)  ロック機構
【図１】
2010075632.tif 000003
【図２】
2010075632.tif 000004
【図３】
2010075632.tif 000005
【図４】
2010075632.tif 000006
【図５】
2010075632.tif 000007
【図６】
2010075632.tif 000008
【図７】
2010075632.tif 000009
【図８】
2010075632.tif 000010
【図９】
2010075632.tif 000011
【図１０】
2010075632.tif 000012
【図１１】
2010075632.tif 000013